(57)【要約】【課題】  車道面に降った雨は、合流式下水道であれば雨水の流入先は、下水道処理場に行き電力を消費して雨水が処理される、分流式下水道であれば、流入先は河川の場合、大雨が降った時は治水対策が必要となり、下水処理場では処理水がオーバフローしてしまう。【解決手段】  車道面に降った雨は雨水浸透車道縁石ブロックを通過させて、地中浸透させれば、下水管に雨水を流入量少なくする事で、河川の治水対策と下水処理水を少なくできる。【選択図】    図２
2006291683.tif 000002
【特許請求の範囲】
【請求項１】
歩道と車道との境界に沿って設置される車道境界縁石ブロックのＬ字形状において、車道表面と同じレベルになる、表面は車道側表面が高くなるように表面を傾斜させ、
その表面の中心部に、長形の箱形空間を設けて箱形空間底部の一部が開口され、開口部は、車道縁石ブロックの底部まで貫通された開口部となり、その開口部は歩道側と車道側に向かって底部は開口されている、
車道表面と同じレベル長形の箱形空間の内側両サイド面にグレーチング蓋を固定する穴を両側に設けて、
車道表面より流下してくる雨水を、グレーチング蓋の表面から雨水を流入させると共にＬ字形状の内側直角面に雨水案内傾斜面を設けて、グレーチング蓋表面を通過した雨水を再び雨水案内傾斜面よりグレーチング蓋表面にもどして、雨水はグレーチング長形開口より長形の箱形空間に雨水透水させて、箱形空間底部開口部を通過した雨水は車道側開口部または歩道側開口部より雨水を地中に浸透させることを特徴とする雨水浸透車道縁石ブロック。
【請求項２】
グレーチング蓋の構成は帯状板材を格子状に溶接をして、板と板の間を広くして、ここから雨水を下水マスの中に流下させていた部分をフタをしてここに沈殿池を設けて従来の板と板の間をすべて沈殿池にした一体構成のグレーチング蓋で、
沈殿池の片側面は、歩道側を低く傾斜をさせてここに長形開口を設けて、ここより雨水を流下させる、
グレーチング蓋は取付、取り外し自由に出来るように両側に固定穴を設けて、車道縁石ブロックに固定させる、
雨水のフィルター機能は重い物質は沈殿池で沈殿をさせ、形状の大きい物質は長形開口の幅で流入を止めて、グレーチング蓋自身にフィルター機能を設けたことを特徴とする、特許請求の第１項の記載の雨水浸透車道縁石ブロックのフィルター機能付きグレーチング蓋。
【発明の詳細な説明】
【技術分野】
【０００１】  本発明は、車道面に降った雨水を下水道管に流入させない、雨が降った場所に雨水を地中浸透させる雨水浸透車道縁石ブロックに関する。
【背景技術】
【０００２】  従来の車道面に降った雨は、車道中心部が両側に傾斜をつけ、車道縁石ブロック側を車道中心部より低く設置することで雨水を流下させているが、これでは車道面と縁石の接続部分に雨水が溜ってしまうため、車道縁石ブロックの車道面と同じＬ字形状表面は雨水下水マスより傾斜をつけて高く設置してある、車道面に降った雨は車道縁石ブロックに沿って流下させ、雨水下水マスに車道面の汚れと共に雨水を下水管に流入させている、（特開平７−２９２７５７）においては、雨水下水管を車道縁石ブロックの真下に配管をして、Ｌ字形状車道縁石ブロック表面の一部を開口させ、車道面より流下してくる雨水を縁石ブロックで止めてＬ字形状車道縁石の開口より直接雨水を下水管に落下させている、車道面の汚れと共に雨水は下水管に流入させる構造である。
【発明の開示】
【発明が解決しようとする課題】
【０００３】  前記の車道縁石ブロック構造は共に雨水を車道面の汚れと一緒に雨水下水道管に流入させる構造で設置され、発明された、
本発明は車道面に降った雨水を車道縁石ブロックに長形箱形空間設け、ここにフィルター機能付きグレーチング蓋を設置して、ここより雨水を地中浸透させる雨水浸透車道縁石ブロックを提供することにある。
【課題を解決するための手段】
【０００４】  本発明は、上記目的を達成するために歩道と車道との境界に沿って設置される車道境界縁石ブロックのＬ字形状において、車道表面と同じレベルになる、表面は車道側表面が高くなるように表面を傾斜させ、
その表面の中心部に、長形の箱形空間を設けて箱形空間底部の一部が開口され、開口部は、車道縁石ブロックの底部まで貫通された開口部となり、その開口部は歩道側と車道側に向かって底部は開口されている、
車道表面と同じレベルに長形の箱形空間の内側両サイド面にグレーチング蓋を固定する穴を両側に設けて、
車道表面より流下してくる雨水を、グレーチング蓋の表面から雨水を流入させると共にＬ字形状の内側直角面に雨水案内傾斜面を設けて、グレーチング蓋表面を通過した雨水を再び雨水案内傾斜面よりグレーチング蓋表面にもどして、雨水はグレーチング長形開口より長形の箱形空間に雨水透水させて、箱形空間底部開口部を通過した雨水は車道側開口部または歩道側開口部より雨水を地中に浸透させることで上記の課題を解決した。【０００５】  本発明は、車道面に降った雨を直接車道縁石ブロックの中を通過させるのではなく、グレーチング蓋の構成は帯状板材を格子状に溶接をして、板と板の間を広くして、ここから雨水を下水マスの中に流下させていた部分をフタをしてここに沈殿池を設けて従来の板と板の間をすべて沈殿池にした一体構成のグレーチング蓋で、沈殿池の片側は、歩道側を低く傾斜をさせてここに長形開口を設けて、ここより雨水を流下させる、
グレーチング蓋は取付、取り外し自由に出来るように両側に固定穴を設けて、車道縁石ブロックに固定させる、雨水のフィルター機能は重い物質は沈殿池で沈殿をさせて、形状の大きい物質は長形開口の幅で流入を止めて、グレーチング蓋自身にフィルター機能を設けたことで上記の課題を解決した。
【発明の効果】
【０００６】  上述したように、図２が示す構成により車道面に降った雨を、下水管に流入させないで、車道面の雨水をフィルター機能付きグレーチング蓋を通して地中浸透させることでヒートアイランド対策にもなり合流式下水道であれば下水処理の負担がかるくなります、分流式下水道であれば河川の治水対策の効果もある。
【発明を実施するための最良の形態】
【０００７】  以下、本発明の実施の形態を図１〜５に基づいて説明する。
図１は雨水浸透車道縁石ブロック図を示す。
雨水浸透車道縁石ブロック１はＬ字形状の内側直角隅には雨水案内傾斜面２５を設けてあります、縁石と車道表面の接続面に雨水が溜まるのを防止するため、Ｌ字形状の車道面側に長形の箱形空間２６を設けて、この底部に箱形空間底部開口部４があり、この空間は歩道側に向かって歩道側開口部６と、車道側に向かって車道側開口部７があり、Ｌ字形状縁石底部２７に溝を構成しております、長形の箱形空間２６の縁の周りにはグレーチング受け台５がもうけられております、ここにフィルター機能付きグレーチング蓋１０を乗せてゲレーチング蓋の両側よりボルト出して、ボルトの先端部をグレーチングボルト受け口３に入れてグレーチング蓋を固定させる（特願２００４−４８６８８）と、同じ方法で、雨水浸透車道縁石ブロック１は縁石ブロック２を後から取付て断面をＬ字形状にする時と縁石ブロック２を一体構成のコンクリートブロックで断面をＬ字形状にすることもある。【０００８】  図２は雨水浸透車道縁石ブロック設置断面図を示す。
雨水浸透車道縁石ブロック１に雨水が流入する経路は車道面１１に降った雨は車道面１１を流下して、フィルター機能付きグレーチング蓋１０に乗りますここで沈殿池１９を通過して、長形開口１８を通り長形の箱形空間２６に入り、この底部は開口されている箱形空間底部開口部４に雨水は流下して車道縁石基礎１３の上側面に流下して雨水の出口側は歩道側の場合は歩道側開口部６より雨水は遮断層砂２４に浸透していく、
車道側の場合は車道側開口部７より雨水は保水性砕石１４に浸透していく、【０００９】  図３はフィルター機能付きグレーチング蓋の表と裏面図
フィルター機能付きグレーチング蓋１０は一体構成により完成されたグレーチング蓋です表面にはちいさなくぼみが多数あります、くぼみの横に長形開口１８ありますここから雨水が落下していきます。【００１０】  図４はフィルター機能付きグレーチング蓋の表面図
フィルター機能付きグレーチング蓋１０は両端に固定ボルト受け穴２３を設けて、ボルトを通す、固定ボルトスペース２１より入れて・ボルトをグレーチング蓋に取付するナットをいれる所は固定ナットスペース２２より入れてここでボルトにナット掛けます、ボルトの先端部はグレーチングの長形幅よりでます、フィルター機能付きグレーチング蓋１０の雨水を受ける方法は、雨水のみず道２０によって沈殿池１９に入ります、この池の水位が上がりますとオーバフロウ水は長形開口１８より雨水は長形の箱形空間２６に雨水流入します。【００１１】  図５はフィルター断面図示す。
フィルター機能付きグレーチング蓋１０は沈殿池１９に入りました雨水は沈殿池１９水位が高く成りますと長形開口１８に雨水は流入します、沈殿池１９では車道面より雨水と一緒に流下した重い物質は沈殿池１９に残ります、雨水のなかに軽くて形状の大きな物質は長形開口１８の幅より大きな物は通過出来ない、この作用を繰り返しによりフィルター機能を可能にした。
【図面の簡単な説明】
【００１２】
【図１】雨水浸透車道縁石ブロック図
【図２】雨水浸透車道縁石ブロック設置断面図
【図３】フィルター機能付きグレーチング蓋表と裏面図
【図４】フィルター機能付きグレーチング蓋表面図
【図５】フィルター断面図
【符号の説明】
【００１３】１．雨水浸透車道縁石ブロック
２．縁石ブロック
３．グレーチングボルト受け口
４．箱形空間底部開口部
５．グレーチング受け台
６．歩道側開口部
７．車道側開口部
８．歩道面
９．歩道透水性舗装
１０．フィルター機能付きグレーチング蓋
１１．車道面
１２．車道透水性舗装
１３．車道縁石基礎
１４．保水性砕石
１５．歩道砕石
１６．グレーチング蓋表面
１７．グレーチング蓋裏面
１８．長形開口
１９．沈殿池
２０．雨水のみず道
２１．固定ボルトスペース
２２．固定ナットスペース
２３．固定ボルト受け口
２４．遮断層砂
２５．雨水案内傾斜面
２６．長形の箱形空間
２７．Ｌ字形縁石底部
【図１】
2006291683.tif 000003
【図２】
2006291683.tif 000004
【図３】
2006291683.tif 000005
【図４】
2006291683.tif 000006
【図５】
2006291683.tif 000007